(57)【要約】【課題】外部電源の非供給時でも、情報の設定や取得を容易にできる照明装置を提供する。【解決手段】照明装置11は、光源21、記憶部24、制御部30、非接触通信部25および給電部26を備える。光源21は、有線接続で供給される外部電源によって点灯する。記憶部24は、情報を記憶する。制御部30は、外部電源の供給時に、記憶部24に記憶された情報に基づいて光源21を制御する。非接触通信部25は、外部記憶媒体16と非接触通信し、外部記憶媒体16から情報を取得して記憶部24に記憶する情報設定と、記憶部24に記憶されている情報を外部記憶媒体16に出力する情報出力との少なくともいずれか一方を行う。給電部26は、外部電源の非供給時に、記憶部24および非接触通信部25に給電する。【選択図】図１
2018081809.tif 000002
【特許請求の範囲】
【請求項１】
有線接続で供給される外部電源によって点灯する光源と；
情報を記憶する記憶部と；
前記外部電源の供給時に、前記記憶部に記憶された情報に基づいて前記光源を制御する制御部と；
外部記憶媒体と非接触通信し、前記外部記憶媒体から情報を取得して前記記憶部に記憶する情報設定と、前記記憶部に記憶されている情報を前記外部記憶媒体に出力する情報出力との少なくともいずれか一方を行う非接触通信部と；
前記外部電源の非供給時に、前記記憶部および前記非接触通信部に給電する給電部と；
を具備することを特徴とする照明装置。
【請求項２】
前記記憶部は、情報を記憶する主記憶部と、前記非接触通信部によって取得される情報および前記非接触通信部によって出力する情報の少なくともいずれか一方を記憶する補助記憶部とを備える
ことを特徴とする請求項１記載の照明装置。
【請求項３】
前記給電部は、前記主記憶部および前記補助記憶部のうち、前記補助記憶部のみに給電する
ことを特徴とする請求項２記載の照明装置。
【請求項４】
前記制御部は、前記外部電源の供給時に、前記補助記憶部に記憶されている情報の前記主記憶部への記憶および前記主記憶部に記憶されている情報の前記補助記憶部への記憶の少なくともいずれか一方を行う
ことを特徴とする請求項２または３記載の照明装置。
【請求項５】
前記非接触通信部によって前記外部記憶媒体から取得される情報のうち、権限に関する情報に基づいて、前記記憶部への情報の記憶および前記記憶部からの情報の出力の少なくともいずれか一方を制限する制限手段を具備する
ことを特徴とする請求項１ないし４いずれか一記載の照明装置。
【請求項６】
前記非接触通信部によって前記外部記憶媒体から取得される情報のうち、認証に関する情報に基づいて、前記光源の点灯を許可する認証手段を具備する
ことを特徴とする請求項１ないし５いずれか一記載の照明装置。
【請求項７】
請求項１ないし６いずれか一記載の照明装置と；
前記照明装置と非接触通信する外部記憶媒体と；
前記外部記憶媒体と非接触通信し、前記外部記憶媒体への情報の出力および前記外部記憶媒体からの情報の取得を行う管理装置と；
を具備することを特徴とする照明システム。
【発明の詳細な説明】
【技術分野】
【０００１】
本発明の実施形態は、有線接続で供給される外部電源によって点灯する照明装置、およびこの照明装置を用いた照明システムに関する。
【背景技術】
【０００２】
従来、舞台やスタジオ等では、複数の照明装置が設置され、これら照明装置が操作卓により制御されて所望の演出照明が行われている。照明装置は、有線接続で外部電源の供給を受けて動作するとともに、有線接続で操作卓と通信し、操作卓によって遠隔操作される。照明装置は、例えば予め決められたレイアウト図等に基づいて、所定の位置に設置されるとともに、操作卓との通信のためのアドレス等を含む各種の設定事項が設定される。
【０００３】
そして、舞台やスタジオ等では、演目やイベント等の変更に伴い、使用する照明装置や照明装置の位置等が変更されるのが通例である。
【０００４】
このような変更時等を含む照明装置の設置時には、使用する照明装置を所定の位置に設置することに加えて、照明装置が有線接続された状態で、操作卓により各照明装置にアドレス等の情報の設定を行う、いわゆる仕込み作業も行っている。
【０００５】
この仕込み作業は、操作卓で行うことから、照明装置を所定の位置に設置して電源および通信の有線接続をした後でないと行うことはできない。しかも、照明装置の設置は限られた時間内に行わなければならない場合が多いが、その限られた時間の中で仕込み作業に多くの時間が費やされてしまう。
【０００６】
また、照明装置は、固有の情報を保有しており、この情報の確認のために情報を取り出すには、電源および通信の有線接続をした状態でないと行うことはできない。
【先行技術文献】
【特許文献】
【０００７】
【特許文献１】特開２０１６−１５２１７１号公報
【発明の概要】
【発明が解決しようとする課題】
【０００８】
本発明が解決しようとする課題は、外部電源の非供給時でも、情報の設定や取得を容易にできる照明装置および照明システムを提供することである。
【課題を解決するための手段】
【０００９】
実施形態の照明装置は、光源、記憶部、制御部、非接触通信部および給電部を備える。光源は、有線接続で供給される外部電源によって点灯する。記憶部は、情報を記憶する。制御部は、外部電源の供給時に、記憶部に記憶された情報に基づいて光源を制御する。非接触通信部は、外部記憶媒体と非接触通信し、外部記憶媒体から情報を取得して記憶部に記憶する情報設定と、記憶部に記憶されている情報を外部記憶媒体に出力する情報出力との少なくともいずれか一方を行う。給電部は、外部電源の非供給時に、記憶部および非接触通信部に給電する。
【発明の効果】
【００１０】
本発明によれば、外部電源の非供給時でも、情報の設定や取得を容易にできる照明装置を提供することが期待できる。
【図面の簡単な説明】
【００１１】
【図１】第１の実施形態を示す外部電源が非供給時の照明装置のブロック図である。
【図２】同上外部電源が供給時の照明装置のブロック図である。
【図３】同上照明装置との情報の伝達に用いる外部記憶媒体のブロック図である。
【図４】同上照明装置を用いた照明システムの構成図である。
【図５】同上照明装置の断面図である。
【図６】同上照明装置の内部構造を示す底面図である。
【図７】同上照明装置の非接触通信部の動作を示すフローチャートである。
【図８】同上外部記憶媒体の情報設定動作を示すフローチャートである。
【図９】同上外部記憶媒体の情報取得動作を示すフローチャートである。
【図１０】第２の実施形態を示す外部電源が非供給時の照明装置のブロック図である。
【発明を実施するための形態】
【００１２】
以下、第１の実施形態を、図１ないし図９を参照して説明する。
【００１３】
図４に舞台やスタジオ等の照明に用いられる照明システム10の構成図を示す。この照明システム10は、舞台やスタジオ等に設置される複数の照明装置11、これら照明装置11を通信可能に有線接続する複数の中継装置12、各照明装置11を遠隔操作する操作卓13、各照明装置11に有線接続して外部電源を供給する調光盤14、および認証情報等を管理する管理装置15等を備えている。なお、管理装置15は、操作卓13が備えていてもよい。
【００１４】
さらに、照明システム10では、照明装置11に対して非接触通信によって情報を伝達する外部記憶媒体16が用いられる。この外部記憶媒体16は、操作卓13または管理装置15（図４には操作卓13が備える例を示す）が備える非接触通信部17によって情報の読み書きが行われる。
【００１５】
そして、複数の中継装置12、操作卓13、調光盤14および管理装置15は、同じネットワーク18に接続されて相互に通信可能になっている。さらに、中継装置12と照明装置11との間は、例えばＤＭＸ規格に従った通信プロトコルであってこのＤＭＸの拡張機能であるＲＤＭ規格に従った通信方式によって、双方向に通信可能となっている。
【００１６】
次に、図１および図２に照明装置11のブロック図を示す。照明装置11は、光源21、電源部22、制御基板23、記憶部24、非接触通信部25および給電部26を備えている。
【００１７】
光源21は、例えばＬＥＤ等の発光素子が用いられる。
【００１８】
電源部22は、照明装置11の設置状態で、調光盤14からの電源ケーブル28が有線接続され、例えば交流電源等の外部電源が供給される。そして、電源部22は、外部電源を照明装置11が備える各電気機器に必要な電源にそれぞれ変換して供給する。例えば、電源部22は、点灯電源を光源21に供給し、制御電源を制御基板23に供給し、充電電源を給電部26に供給する。
【００１９】
制御基板23は、照明装置11の設置状態で、中継装置12から例えばＤＭＸケーブル等の通信ケーブル29が有線接続され、中継装置12を介して操作卓13や管理装置15等と双方向に通信する。制御基板23は、電源部22から供給される制御電源で動作する。制御基板23は、照明装置11を制御する制御部30、および記憶部24の一部を備えている。制御部30は、記憶部24に記憶された情報に基づいて、電源部22から光源21に供給する点灯電源を制御することにより、光源21の点灯状態を制御する。
【００２０】
記憶部24は、主記憶部31および補助記憶部32を備えている。これら主記憶部31および補助記憶部32は、例えば、非通電時にも記憶内容を保持する不揮発性メモリ等で構成されている。主記憶部31は電源部22から制御基板23に供給される制御電源で動作し、補助記憶部32は給電部26から供給される電源で動作する。
【００２１】
主記憶部31は、補助記憶部32よりも記憶容量が大きく、照明装置11の制御や通信に関するプログラム、照明装置11に設定されるアドレス等の各種の設定情報、および照明装置11の光源21の点灯時間等の各種のメンテナンス情報等を含む照明装置11での全ての情報を記憶する。補助記憶部32は、主記憶部31よりも記憶容量が少なくかつ省電力で動作し、主に非接触通信部25によって受信する設定情報の記憶および送信するメンテナンス情報の記憶に用いられる。さらに、これら主記憶部31および補助記憶部32には、照明装置11の固有の個体情報が記憶されている。そして、制御部30により、主記憶部31と補助記憶部32との間での情報の移動やコピーが可能となっている。
【００２２】
なお、補助記憶部32は、図１および図２において制御基板23および非接触通信部25とは別に示しているが、主記憶部31とともに制御基板23が備えていてもよく、あるいは非接触通信部25が備えていてもよい。
【００２３】
非接触通信部25は、外部記憶媒体16と非接触で双方向に通信可能とする。通信方式には、例えば、所定の周波数帯の電波（電磁波）を利用し、通信距離が１０ｃｍ程度の近距離無線通信（短距離無線通信）等の通信規格が用いられる。
【００２４】
給電部26は、例えば、充電可能なバッテリを備えている。このバッテリは、外部電源の供給時に電源部22から供給される充電電源によって充電される。給電部26は、外部電源の非供給時に、非接触通信部25および補助記憶部32にバッテリ電源を供給する。
【００２５】
次に、図３に外部記憶媒体16のブロック図を示す。外部記憶媒体16は、非接触通信部35、制御部36、記憶部37および給電部38を備えている。例えば、少なくとも非接触通信部35、制御部36および記憶部37はＩＣチップで構成されている。ＩＣチップは、例えば、ＲＦＩＤ（Radio Frequency Identification）や、ＮＦＣ（Near Field Communication）等の近距離無線通信（短距離無線通信）等の通信規格に対応したものが用いられている。
【００２６】
非接触通信部35は、照明装置11の非接触通信部25と非接触で双方向に通信可能としている。通信方式には、例えば、所定の周波数帯の電波（電磁波）を利用し、通信距離が１０ｃｍ程度の近距離無線通信（短距離無線通信）等の通信規格が用いられる。
【００２７】
制御部36は、非接触通信部35による通信や、記憶部37の情報の読み書きを制御する。
【００２８】
記憶部37は、非接触通信部35によって送信する設定情報および受信するメンテナンス情報等の情報を記憶する。
【００２９】
給電部38は、照明装置11の非接触通信部25からの電波（電磁波）をコイル状のアンテナに受けて起電力が発生することにより、非接触通信部35、制御部36および記憶部37に電源を供給する。なお、給電部38は、バッテリを備え、このバッテリから非接触通信部35、制御部36および記憶部37に電源を供給するようにしてもよい。
【００３０】
外部記憶媒体16は、例えばカードの形態をなしていてもよいし、外部記憶媒体16を備えた例えばスマートホンやタブレット等あるいは専用端末等の携帯型端末でもよい。
【００３１】
次に、図５および図６に照明装置11の構造の一例を示す。照明装置11は、舞台やスタジオ等の天井側に配設されるバトンに吊下げ設置されるスポットライトである。
【００３２】
照明装置11は、本体（筐体）41、この本体41にそれぞれ配設された光源部42、レンズ43、バンドア44および操作部45を備えているとともに、上述した電源部22、制御基板23、記憶部24、非接触通信部25および給電部26を備えている。
【００３３】
本体41は、上側の光源筐体部46およびこの光源筐体部46の下側に設けられる電源筐体部47を備えている。光源筐体部46の内部に光源部42が配設され、光源筐体部46の光照射方向である前面側にレンズ43が配設されているとともにこのレンズ43の前方位置にバンドア44が配設されている。電源筐体部47の内部に電源部22、制御基板23、記憶部24、非接触通信部25および給電部26が配設されている。電源筐体部47の一側面に操作部45が配設されている。なお、図示していないが、電源筐体部47の後端面には、電源ケーブル28が接続される電源用接続部および通信ケーブル29が接続される通信用接続部が配設されている。
【００３４】
光源部42は、ＬＥＤ等の発光素子を用いている光源21、およびこの光源21を前面側に配設した放熱器48を備えている。放熱器48は、光源21が発生する熱を効率よく放熱するための放熱フィン等を備えている。そして、光源部42は、光源筐体部46内で前後方向に移動可能に支持されているとともに、本体41の後面側に配設されたフォーカスハンドル49の回動操作によって前後方向に移動し、レンズ43によって投光する光源21の光の広がりを調整することが可能となっている。
【００３５】
レンズ43は、凸レンズやフレネルレンズによって構成されている。
【００３６】
バンドア44は、投光範囲の調整に用いられる。
【００３７】
操作部45には、電源スイッチや設定スイッチ等が設けられているとともに、操作や設定の状態を表示する表示部も設けられている。
【００３８】
また、電源筐体部47内には、前部側に電源部22が配設され、後部側でかつ操作部45側となる一側に制御基板23が配設され、後部側でかつ操作部45とは反対側となる他側に給電部26が配設されているとともにこの給電部26の後側に非接触通信部25が配設されている。なお、図６には補助記憶部32を制御基板23が備える例を示すが、この補助記憶部32は非接触通信部25が備えていてもよい。
【００３９】
照明装置11における非接触通信部25を配設する場所については、本体41の上部側が光源部42の移動空間として占められるため、本体41の下部側が好ましく、しかも、照明装置11がバトンから外されて床面等に置かれた状態や、照明装置11がバトンに吊下げ設置された状態等のいずれでも、外部記憶媒体16を容易にかざして非接触通信が行えるように、本体41の後側に配設することが好ましく、したがって、本体41の下部後側が好ましい。ただし、外部記憶媒体16を非接触通信部25に容易にかざすことができれば、本体41のどこに非接触通信部25を配設しても構わない。
【００４０】
そして、図１および図２において、照明装置11の非接触通信部25は、外部記憶媒体16から設定情報を取得して記憶部24（補助記憶部32）に記憶する情報設定と、記憶部24（補助記憶部32）に記憶されているメンテナンス情報を外部記憶媒体16に出力する情報出力とを行う制御手段51の機能を備えている。
【００４１】
さらに、非接触通信部25は、外部記憶媒体16から権限に関する情報を取得し、その権限に関する情報に基づいて、記憶部24（補助記憶部32）への設定情報の記憶や、記憶部24（補助記憶部32）からのメンテナンス情報の出力を許可したり制限したりする制限手段52を備えている。
【００４２】
また、照明装置11の制御部30は、外部電源の供給時に、補助記憶部32に記憶されている設定情報の主記憶部31への記憶（移動）、および主記憶部31に記憶されているメンテナンス情報の補助記憶部32への記憶（コピー）を行う。
【００４３】
さらに、制御部30は、非接触通信部25によって外部記憶媒体16から認証に関する情報を取得し、その認証に関する情報に基づいて、認証が得られる場合には光源21の点灯を含む照明装置11の動作を許可し、認証が得られない場合には光源21の点灯を含む照明装置11の動作を許可しない認証手段53を備えている。
【００４４】
次に、図４に示した中継装置12、操作卓13、調光盤14、管理装置15、非接触通信部17およびネットワーク18について説明する。
【００４５】
中継装置12は、例えばＤＭＸノードである。中継装置12は、操作卓13等からネットワーク18を通じて送られてくる情報をＤＭＸ信号等の所定の通信方式の信号に変換して照明装置11に送信し、かつ、照明装置11から送らてくるＲＤＭ信号等の所定の通信方式の信号を操作卓13等で処理可能な信号に変換し、その信号をネットワーク18によって操作卓13等に送信する。
【００４６】
操作卓13は、演出に応じて複数の照明装置11の明るさや色等を操作、制御する。
【００４７】
調光盤14は、電源ケーブル28を通じて照明装置11に外部電源を供給する。
【００４８】
管理装置15は、例えばパーソナルコンピュータ等で構成されており、権限に関する情報や、承認に関する情報を設定および管理する。
【００４９】
非接触通信部17は、外部記憶媒体16と非接触で双方向に通信可能としている。通信方式には、例えば、所定の周波数帯の電波（電磁波）を利用し、通信距離が１０ｃｍ程度の近距離無線通信（短距離無線通信）等の通信規格が用いられる。
【００５０】
ネットワーク18は、例えばＬＡＮ等が用いられ、有線または無線のいずれでもよい。
【００５１】
次に、照明装置11に対しての設定情報の設定作業について説明する。
【００５２】
舞台やスタジオ等では、例えば予め決められたレイアウト図等に基づいて、所定の照明装置11を所定の位置に設置するとともに、それら各照明装置11には例えば操作卓13との通信のためのアドレス等を含む設定情報の設定が行われる。
【００５３】
本実施形態では、照明装置11をバトン等に実際に設置する前に、例えば、照明装置11の保管場所等において、照明装置11が有線接続されていない状態（電源ケーブル28および通信ケーブル29が接続されていない状態）で、つまり外部電源が供給されていない状態で、照明装置11に対して設定情報の設定を行うことができる。
【００５４】
まず、操作卓13（または管理装置15）において、設定対象の各照明装置11の個体情報を特定し、各照明装置11の個体情報に関連付けてアドレス等を登録した設定情報を作成する。そして、操作卓13（または管理装置15）の非接触通信部17に外部記憶媒体16をかざし、作成した設定情報を外部記憶媒体16に記憶させる。
【００５５】
照明装置11に設定するための設定情報としては、操作卓13等との通信に用いられるアドレスの他に、照明装置11のモード設定等が含まれる。このモード設定としては、調光カーブ、応答速度、照度調整、色度調整、プロファイル変更、エフェクトモードおよび簡単モード等が含まれる。
【００５６】
調光カーブは、光源21の消灯状態から徐々に点灯するフェードイン、光源21が点灯状態から徐々に消灯するフェードアウトの設定である。
【００５７】
応答速度は、光源21の点滅の際にハロゲンランプのように明暗に時間をかけるモード、ＬＥＤのように明暗を短時間に切り換えるモードの設定である。
【００５８】
照度調整は、光源21の寿命を延ばすために、上限の調光レベルの設定である。
【００５９】
色度調整は、色温度可変型の照明装置11の場合に、色度の設定である。
【００６０】
プロファイル変更は、色温度可変型の照明装置11の場合に、ＤＭＸプロトコルのプロファイルを変更する設定である。
【００６１】
エフェクトモードは、ストロボ機能で、光源21の点滅の間隔の設定である。
【００６２】
簡単モードは、色温度可変型の照明装置11の場合に、色を赤・緑・青で表現するＲＧＢ設定モード、または色を色相・彩度・輝度で表現するＨＳＬ設定モードの設定である。
【００６３】
そして、設定情報の記憶を完了した外部記憶媒体16を持って照明装置11の保管場所等に行き、外部記憶媒体16を照明装置11の非接触通信部25にかざす。このとき、照明装置11の非接触通信部25は、給電部26からバッテリ電源の供給を受けて動作しており、かざされた外部記憶媒体16と所定のプロトコルに基づいた双方向の非接触無線通信を開始する。
【００６４】
図７には照明装置11の非接触通信部25の動作のフローチャートを示し、図８には外部記憶媒体16の情報設定動作のフローチャートを示す。
【００６５】
外部記憶媒体16は、照明装置11の非接触通信部25との通信を開始すると（ステップＳ２０）、設定情報の設定を示す設定コマンドを送信する（ステップＳ２１）。
【００６６】
照明装置11の非接触通信部25は、外部記憶媒体16との通信を開始してから（ステップＳ１０）、外部記憶媒体16から送信されてくる設定コマンドを受信すると（ステップＳ１１の設定）、補助記憶部32に記憶されている照明装置11の個体情報を送信する（ステップＳ１２）。
【００６７】
外部記憶媒体16は、照明装置11の非接触通信部25から送信されてくる個体情報を受信すると（ステップＳ２２）、その個体情報が外部記憶媒体16に記憶されている設定対象の個体情報の中にあるか確認し（ステップＳ２３）、設定対象の個体情報にある場合にはその個体情報に関連付けられた設定情報を送信する（ステップＳ２４）。
【００６８】
照明装置11の非接触通信部25は、外部記憶媒体16から送信されてくる設定情報を受信し（ステップＳ１３）、その設定情報を補助記憶部32に記憶し（ステップＳ１４）、設定が完了する。
【００６９】
なお、照明装置11は、外部記憶媒体16による設定情報の設定が完了したら、それを知らせる報知手段を備えていてもよい。報知手段は、音で報知したり、操作部45の表示部等での表示で報知する。
【００７０】
そして、１台の照明装置11の設定動作が完了したら、次の設定対象とする照明装置11に対して同様の操作によって設定を行う。
【００７１】
仮に、設定対象以外の照明装置11の非接触通信部25に外部記憶媒体16をかざした場合には、その照明装置11の個体情報が外部記憶媒体16の設定対象の個体情報に登録されていないため（ステップＳ２３のＮＯ）、設定は行われない。この場合、上述した報知手段によってエラー報知するようにしてもよい。
【００７２】
なお、このような設定作業は、照明装置11をバトンに設置した状態でも可能である。このとき、照明装置11に外部電源が供給されていなくても、あるいは外部電源が供給されていても、同様に設定作業を行うことができる。
【００７３】
そして、照明装置11をバトンに設置し、電源ケーブル28および通信ケーブル29を有線接続し、操作部45で電源スイッチを入れることにより、電源部22に外部電源が供給され、この電源部22から制御電源が制御基板23に供給されるとともに、充電電源が給電部26のバッテリに供給される。操作部45の電源スイッチを入れ、制御基板23の制御部30が起動すると、この制御部30により補助記憶部32に記憶されている設定情報を主記憶部31に記憶（移動）する。そして、制御部30は、主記憶部31に記憶された設定情報に基づいて、通信および制御を行う。
【００７４】
次に、照明装置11からのメンテナンス情報（トレーサビリティ情報）の取得作業を説明する。
【００７５】
照明装置11への外部電源の供給時において、制御部30は、メンテナンス情報を主記憶部31に更新記憶し、さらに、メンテナンス情報を非接触通信部25から出力できるように、出力するメンテナンス情報を補助記憶部32に更新記憶（主記憶部31からのコピー）している。
【００７６】
メンテナンス情報としては、照明装置11の機種、ソフトウエアのバージョン、照明装置11への外部電源の通電時間、調光レベル毎の光源21の点灯時間、図示しないセンサで検知される光源21の温度や電源部22の温度を含む温度情報、故障の履歴、照明装置11を貸し出している場合等の使用の履歴等の情報が含まれる。
【００７７】
そして、照明装置11がバトンに設置されていて有線接続されている状態（電源ケーブル28および通信ケーブル29が接続されている状態）では、操作卓13や管理装置15、あるいはネットワーク18に接続される別途のメンテナンス用端末などが、ネットワーク18を通じて照明装置11からメンテナンス情報を取得し、照明装置11の状態を管理することができる。
【００７８】
また、例えば照明装置11が保管場所等に配置されていて、照明装置11が有線接続されていない状態（電源ケーブル28および通信ケーブル29が接続されていない状態）で、つまり外部電源が供給されていない状態においても、外部記憶媒体16を利用して照明装置11のメンテナンス情報を取得し、照明装置11の状態を管理することができる。
【００７９】
外部記憶媒体16を利用したメンテナンス情報の取得では、予め、操作卓13（または管理装置15）において、非接触通信部17にかざした外部記憶媒体16にメンテナンス情報の取得設定をしておく。
【００８０】
そして、取得設定をした外部記憶媒体16を持って照明装置11の保管場所等に行き、外部記憶媒体16を照明装置11の非接触通信部25にかざす。このとき、照明装置11の非接触通信部25は、給電部26からバッテリ電源の供給を受けて動作しており、かざされた外部記憶媒体16と所定のプロトコルに基づいた双方向の非接触無線通信を開始する。
【００８１】
図７には照明装置11の非接触通信部25の動作のフローチャートを示し、図９には外部記憶媒体16の情報取得動作のフローチャートを示す。
【００８２】
外部記憶媒体16は、照明装置11の非接触通信部25との通信を開始すると（ステップＳ３０）、メンテナンス情報を取得する取得コマンドを送信する（ステップＳ３１）。
【００８３】
照明装置11の非接触通信部25は、外部記憶媒体16との通信を開始してから（ステップＳ１０）、外部記憶媒体16から送信されてくる取得コマンドを受信すると（ステップＳ１１の出力）、補助記憶部32に記憶されている照明装置11の個体情報とともにメンテナンス情報を送信する（ステップＳ１５）。
【００８４】
外部記憶媒体16は、照明装置11の非接触通信部25から送信されてくる個体情報およびメンテナンス情報を受信すると（ステップＳ３２）、記憶部37に記憶し（ステップＳ３３）、メンテナンス情報の取得を完了する。
【００８５】
なお、照明装置11は、照明装置11からのメンテナンス情報の出力が完了したら、それを知らせる報知手段を備えていてもよい。報知手段は、音で報知したり、操作部45の表示部等での表示で報知する。
【００８６】
そして、１台の照明装置11のメンテナンス情報の取得動作が完了したら、次の照明装置11に対して同様の操作によってメンテナンス情報の取得動作を行う。
【００８７】
なお、外部記憶媒体16にメンテナンス情報の取得対象とする照明装置11の個体情報を登録しておくことにより、取得対象の照明装置11のメンテナンス情報のみを取得するようにもできる。
【００８８】
また、このような取得動作は、照明装置11をバトンに設置した状態でも可能である。このとき、照明装置11に外部電源が供給されていなくても、あるいは外部電源が供給されていても、同様に設定作業を行うことができる。
【００８９】
そして、メンテナンス情報を取得した外部記憶媒体16を持って操作卓13（または管理装置15）の所に行き、非接触通信部17に外部記憶媒体16をかざすことにより、非接触通信部17によって外部記憶媒体16から個体情報毎のメンテナンス情報を読み出し、操作卓13（または管理装置15）で管理する。なお、外部記憶媒体16を備えた携帯端末を用いて、メンテナンス情報を取得した場合には、携帯端末で取得したメンテナンス情報を管理できる。
【００９０】
なお、このような照明装置11からメンテナンス情報の取得は、外部記憶媒体16による照明装置11への設定情報の設定作業の際に一度に行ってもよい。
【００９１】
次に、照明装置11に対する設定情報の設定やメンテナンス情報の取得を行うことができる権限を外部記憶媒体16に持たせた場合について説明する。
【００９２】
外部記憶媒体16は、例えば、設定情報の設定およびメンテナンス情報の取得の両方ができる権限を持たせた外部記憶媒体16、設定情報を設定のみができる権限を持たせた外部記憶媒体16、メンテナンス情報の取得のみができる権限を持たせた外部記憶媒体16等の種類を有するものとする。
【００９３】
そして、照明装置11の非接触通信部25では、制限手段52により、外部記憶媒体16に持たせた権限に応じて作業できる内容を制限する。すなわち、非接触通信部25では、この非接触通信部25にかざされた外部記憶媒体16から権限に関する情報を取得し、その権限に関する情報に基づいて、外部記憶媒体16から記憶部24（補助記憶部32）への設定情報の記憶を許可または制限したり、記憶部24（補助記憶部32）から外部記憶媒体16へのメンテナンス情報の出力を許可したり制限する。
【００９４】
このように外部記憶媒体16に権限を持たせることにより、権限のない作業者が誤った設定情報を設定したり、権限のない作業者によってメンテナンス情報が持ち出されるのを防止することができる。
【００９５】
次に、照明装置11が認証を得て動作する場合について説明する。
【００９６】
照明装置11は、認証機能が設定されていると、認証手段53で認証された場合に動作が許可される。動作の許可は、所定の期間だけに制限することが可能で、この場合には例えば制御部30が給電部26からの電源やボタン型電池等で動作するタイマ機能を備えている。
【００９７】
この照明装置11の認証をとるのに、認証に関する情報を記憶した外部記憶媒体16が用いられる。
【００９８】
そして、この外部記憶媒体16を照明装置11の非接触通信部25にかざし、認証に関する情報を設定する。この設定は、照明装置11が有線接続されておらず、外部電源の非供給時でもできる。この場合、認証に関する情報は補助記憶部32に記憶され、照明装置11が有線接続されて外部電源が供給されると、制御部30によって補助記憶部32から主記憶部31に記憶（移行）される。
【００９９】
制御部30の認証手段53は、認証に関する情報に基づいて認証の可否を判断し、認証が得られる場合には光源21の点灯を含む照明装置11の動作を許可し、また、認証が得られない場合には照明装置11の動作を許可しない。このように、認証が得られない場合には照明装置11の動作を許可しないことにより、照明装置11の不正使用を防止できる。
【０１００】
認証に期間を設定し、その期間を過ぎたら照明装置11の動作を許可しないようにもできる。例えば、照明装置11を貸し出す場合に、所定の貸し出し期間だけ照明装置11の動作を許可したり、また、例えば１年に１回のメンテナンスを行う照明装置11の場合に、メンテナンスの際に認証を更新するといった使い方ができる。
【０１０１】
また、制御部30の認証手段53は、認証に関する情報に基づいて認証の可否を判断し、認証が得られる場合には設定変更を許可し、認証が得られない場合には照明装置11の動作は許可するが照明装置11の設定変更を許可しないようにすることもできる。これによって、照明装置11の設定を自由に変更することを防止できる。
【０１０２】
そして、本実施形態の照明装置11によれば、外部電源の非供給時に、記憶部24および非接触通信部25に給電する給電部26を備えるため、外部電源の非供給時でも、非接触通信部25に外部記憶媒体16をかざすだけで、照明装置11に対する設定情報の設定やメンテナンス情報の取得を容易にできる。
【０１０３】
また、記憶部24は、プログラム、設定情報およびメンテナンス情報等を含む照明装置11での全ての情報を記憶する主記憶部31と、非接触通信部25によって取得される設定情報や非接触通信部25によって出力するメンテナンス情報を記憶する補助記憶部32とに分けているため、補助記憶部32は、例えば、制御基板23に搭載されるものに限らず、非接触通信部25が備えるものでもよく、自由度が高くなる。
【０１０４】
さらに、主記憶部31と補助記憶部32のうち、補助記憶部32のみに給電部26から給電することにより、記憶部24での消費電力を抑制し、給電部26がバッテリを備える場合のバッテリ消費を低減できる。
【０１０５】
さらに、照明装置11への外部電源の供給時、つまり制御部30の起動時、この制御部30は、補助記憶部32に記憶されている設定情報の主記憶部31への記憶（移行）を行い、新たな設定情報に基づいて制御でき、あるいは、制御部30により、主記憶部31に記憶されているメンテナンス情報の補助記憶部32への記憶（コピー）を行い、外部記憶媒体16に出力するメンテナンス情報の更新ができる。
【０１０６】
また、非接触通信部25によって外部記憶媒体16から取得される権限に関する情報に基づいて、制限手段52により、記憶部24（補助記憶部32）への情報の記憶や記憶部24（補助記憶部32）からの情報の出力を制限するため、権限のない作業者が誤った設定情報を設定したり、権限のない作業者によってメンテナンス情報が持ち出されるのを防止することができる。
【０１０７】
また、非接触通信部25によって外部記憶媒体16から取得される認証に関する情報に基づいて、認証手段53により、光源21の点灯を含む照明装置11の動作の可否を決定するため、照明装置11の不正使用の防止や、照明装置11を貸し出す形態での管理に利用できる。
【０１０８】
次に、第２の実施形態を、図１０を参照して説明する。なお、第１の実施形態と同じ構成については、同一符号を用い、その構成および作用効果についての説明を省略する。
【０１０９】
照明装置11の給電部26は、バッテリではなく、外部からのワイヤレス給電によって非接触通信部25および補助記憶部32に給電する。この給電部26は、受電コイルを有し、外部からの電磁誘導によって受電コイルに起電力が発生し、この発生した電源を非接触通信部25および補助記憶部32に給電する。この給電部26は、外部から電磁誘導を受けられるように、非接触通信部25と所定の配列位置に並んで、本体41の外面に臨む位置に配設される。
【０１１０】
外部記憶媒体16は、送電部60およびバッテリ61を備えた外部機器62に設けられている。送電部60は、送電コイルを有し、バッテリ61からの電流を送電コイルに流すことにより、送電コイルに磁束を発生させ、照明装置11の給電部26が有する受電コイルに電流を誘導させる。外部記憶媒体16と送電部60とは、照明装置11の非接触通信部25と給電部26との配列に対応した所定の配列位置に並んで配設されている。
【０１１１】
そして、外部機器62の外部記憶媒体16および送電部60を照明装置11の非接触通信部25および給電部26にかざし、送電部60から給電部26にワイヤレス給電することにより、外部記憶媒体16と非接触通信部25との間で情報の伝達がなされる。
【０１１２】
このように構成された照明装置11では、外部からワイヤレス給電を受けるので、非接触通信部25および補助記憶部32に給電するためのバッテリを備える必要がなく、照明装置11を簡素化および軽量化できるとともに、バッテリ切れのおそれもなくなる。
【０１１３】
なお、外部記憶媒体16と外部機器62とは別体とし、外部機器62の送電部60から照明装置11の給電部26にワイヤレス給電しながら、外部記憶媒体16を照明装置11の非接触通信部25にかざして情報の伝達を行うようにしてもよい。
【０１１４】
また、図４に示す照明システム10の中継装置12においても、通信のためのアドレス等の設定や各種の情報設定が行われる。この中継装置12に対する情報設定にも外部記憶媒体16を使用してもよい。この場合、中継装置12の前面や上面等の外部記憶媒体16を容易にかざすことができる場所に非接触通信部が配設される。
【０１１５】
さらに、図４に示す照明システム10の調光盤14においても、通信のためのアドレス等の設定や各種の情報設定が行われる。この調光盤14に対する情報設定にも外部記憶媒体16を使用してもよい。この場合、調光盤14の前面等の外部記憶媒体16を容易にかざすことができる場所に非接触通信部が配設される。
【０１１６】
また、非接触通信部25と外部記憶媒体16との非接触通信には、電波を媒体とすることに限らず、赤外線などの光を媒体としてもよい。
【０１１７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１８】
10    照明システム
11    照明装置
15    管理装置
16    外部記憶媒体
21    光源
24    記憶部
25    非接触通信部
26    給電部
30    制御部
31    主記憶部
32    補助記憶部
52    制限手段
53    認証手段
【図１】
2018081809.tif 000003
【図２】
2018081809.tif 000004
【図３】
2018081809.tif 000005
【図４】
2018081809.tif 000006
【図５】
2018081809.tif 000007
【図６】
2018081809.tif 000008
【図７】
2018081809.tif 000009
【図８】
2018081809.tif 000010
【図９】
2018081809.tif 000011
【図１０】
2018081809.tif 000012